(57)【要約】【課題】  従来は、透過原稿用光源をあらかじめ設定したある一定の点灯時間で発光し、透過した光をイメージセンサで読み取ることでフィルムの検知を行なっていたが、透過原稿用光源の、点灯時間に対する輝度の個体ばらつきが原因で、所望の光量に対する過不足が発生し、フィルム検知の精度が十分に実現できない場合があった。【解決手段】  本発明では原稿設置面とは別領域に設置された白基準板を使用してあらかじめ光量の調整された、反射原稿用光源を使用して、透過原稿用光源面を照射し、その反射光をイメージセンサで読み取ることで、原稿台と透過原稿用光源間のフィルムの有無を精度良く判断することが出来る。【選択図】  図１
2011049971.tif 000002
【特許請求の範囲】
【請求項１】
原稿に記録された画像を読み取る画像読取装置において、
読み取る原稿を設置する原稿台と、
上記原稿台上に設置された原稿を光学的に読み取る読み取り手段と、
上記原稿台に設置された原稿台に投光し、原稿を反射した光が上記読み取り手段に受光される位置に配置された第１の光源と、
上記原稿台上に設置された原稿の上に配置された第２の光源と、
上記第１の光源を反射し、上記原稿台以外の領域に配置された白基準板と、
上記白基準板を上記第１の光源で照射した反射光を上記読み取り手段で読み取ることで上記第１の光源の光量補正を行なう手段と、
上記光量補正を行なう手段により光量補正が行なわれた上記第１の光源から投光され、上記原稿台を透過して上記第２の光源の表面を反射した光の光量を上記読み取り手段で読み取り、その光量がある閾値よりも高い場合は上記原稿台と上記第２の光源の間に原稿が無いと判定する手段とを備えた画像読取装置。
【発明の詳細な説明】
【技術分野】
【０００１】
本発明はフィルムを読み取る画像読取装置において、フィルムの有無を検知する機能を有した画像読取装置に関するものである。
【背景技術】
【０００２】
従来、フィルム等の透過原稿の画像読み取り領域と、その透過原稿用光源の光量調整やシェーディング補正などの画像校正用データを取得する領域が共用となっている画像読取装置において、正しく透過原稿用光源の校正を行なう為には、画像校正用データを取得する際に、透過原稿用光源とその光源から発光された光を受光する画像読み取り手段との間にフィルムが設置されていないことを確認する必要がある。
【０００３】
そのため、従来の画像読取装置では透過原稿用光源の校正のために次のような方法を使用している。
【０００４】
まず、フィルム検知を行なうため、（不図示の）外部ホストＰＣからの制御により、ＣＩＳ３はステップモータ９に駆動されて透過原稿用光源５の位置（図１のＰｏｓｉｔｉｏｎ  Ｂ）へ移動する。（図５のステップＳ５０１）
次にＬＥＤ駆動回路６ｉの制御によりＬＥＤ５ａをあらかじめ設定された点灯時間で点灯する。（図５のステップＳ５０２）
ＬＥＤ５ａから発した光は、白色基準板４を反射し、ロッドレンズ３ａを介して固体撮像素子３ｂに受光される。固体撮像素子３ｂに受光された光は光−電荷変換によって電荷としてケーブル７を介してＡ／Ｄ変換器６ｄに入力され、Ａ／Ｄ変換器６ｄから出力された画像データはシェーディング補正部６ｅ、ガンマ変換部６ｆ、ＵＳＢ制御部６ｇを介して（不図示の）外部ホストＰＣに出力され、画像データの取得がなされる。（図５のステップＳ５０３）
ステップＳ５０３で取得した画像データのレベルがあらかじめ設定した所定の値以下であるか否かを判定する。このとき、あらかじめ設定した所定の値は固定撮像素子３ｂの出力が飽和するレベルよりも小さい値が設定される。（図５のステップＳ５０４）
ステップＳ５０４で画像データのレベルが所定のレベル以下と判定された場合は、原稿台ガラス２上にフィルムが置かれていると判定し、フィルム検知シーケンスを終了する。（図５のステップＳ５０５）
ステップＳ５０４で画像データのレベルが所定のレベルより大きいと判定された場合は、原稿台ガラス２上にフィルムが無いと判定し、フィルム検知シーケンスを終了する。（図５のステップＳ５０６）
また、特開平１０−３１２５２「フィルム検出装置付きカメラ」（特許文献１）では発光素子と受光素子を有し、発光素子が発した光を受光した光量でフィルムの有無を判定するフィルム検知装置において、受光光量が飽和しない状態に発光素子の光量を調整した後に、透過光でフィルムの有無を判定することで、判定の制度を向上する方法が開示されている。
【先行技術文献】
【特許文献】
【０００５】
【特許文献１】特開平１０−３１２５２号公報
【発明の概要】
【発明が解決しようとする課題】
【０００６】
しかしながら、透過原稿用光源の校正データを取得するに先立って透過原稿用光源をあらかじめ設定されたある一定の点灯時間で点灯した場合、透過原稿用光源の点灯時間に対する発光光量のばらつきに個体差が大きいと、透過原稿用光源から所望の光量を得られない、または所望の光量以上の光量が得られた場合に、フィルムが無いにも関わらずフィルムありと判定する、またはフィルムが有るにも関わらずフィルムが無いと誤って判定されるという問題がある。
【０００７】
本発明は、上述の問題を解決する為のもので、透過原稿用光源の校正用データ取得に先立って、原稿台上のフィルムの有無を確実に検出できる画像読取装置を提供することを目的とするものである。
【課題を解決するための手段】
【０００８】
原稿に記録された画像を読み取る画像読取装置において、
読み取る原稿を設置する原稿台と、
上記原稿台上に設置された原稿を光学的に読み取る読み取り手段と、
上記原稿台に設置された原稿台に投光し、原稿を反射した光が上記読み取り手段に受光される位置に配置された第１の光源と、
上記原稿台上に設置された原稿の上に配置された第２の光源と、
上記第１の光源を反射し、上記原稿台以外の領域に配置された白基準板と、
上記白基準板を上記第１の光源で照射した反射光を上記読み取り手段で読み取ることで上記第１の光源の光量補正を行なう手段と、
上記光量補正を行なう手段により光量補正が行なわれた上記第１の光源から投光され、上記原稿台を透過して上記第２の光源の表面を反射した光の光量を上記読み取り手段で読み取り、その光量がある閾値よりも高い場合は上記原稿台と上記第２の光源の間に原稿が無いと判定する手段とを備えた画像読取装置である。
【発明の効果】
【０００９】
本発明によると、原稿設置面とは別領域に設置された白基準板を使用して光量の調整された反射原稿用光源で、原稿台上に設置された透過原稿用光源面を照射し、その反射光をイメージセンサーで読み取ることで原稿台上のフィルムの有無を精度良く検知することができる。
【図面の簡単な説明】
【００１０】
【図１】本発明に係る画像読取装置の一例の構成図である。
【図２】画像読取装置の電気ブロック図である。
【図３】反射原稿用光源の光量校正シーケンスを示すフローチャートである。
【図４】フィルム検知シーケンスを示すフローチャートである。
【図５】従来例のフィルム検知シーケンスを示すフローチャートである。
【発明を実施するための形態】
【００１１】
以下、図面に沿って、本発明の実施の形態について説明する。なお、各図面において同一の符号を付したものは、同一の構成又は作用をなすものであり、これらについての重複説明は適宜省略した。
【００１２】
＜実施の形態１＞
図１に、本発明に係る画像読取装置の構成図の一例を示す。また、図２は本実施例の電気ブロック図であり、図３は本実施例の反射用光源ＬＥＤ３ｃの光量校正シーケンスフローチャート、図４は本実施例のフィルム検知シーケンスフローチャート図である。
【００１３】
図１において、１は画像読取装置の筐体部、２は反射原稿及び透過原稿を設置する原稿台ガラス、３は原稿台ガラス面の光学画像を短焦点で結像するロッドレンズ３ａ、原稿からの反射光を電気信号に変換する固体撮像素子３ｂ、反射原稿用光源である赤、緑、青の３色のＬＥＤ３ｃ、コネクタ３ｄ、固体撮像素子３ｂ及びＬＥＤ３ｃ及びコネクタ３ｄが実装されたＣＩＳ基板３ｅから構成されるＣＩＳ（Ｃｏｎｔａｃｔ  Ｉｍａｇｅ  Ｓｅｎｓｏｒ）、４は原稿台ガラス２上の原稿設置領域以外に設置されＬＥＤ３ｃの光量補正及びＣＩＳ３のシェーディング補正に使用される白基準板、５は透過原稿用光源である赤、緑、青の３色ＬＥＤ５ａ、ＬＥＤ５ａから発光された光を透過原稿面に均一に拡散させる導光体５ｂから構成される透過原稿用光源、６はＣＩＳ３と接続するコネクタ６ａ、（不図示の）外部ホストＰＣと本実施例の画像読取装置を接続するＵＳＢコネクター６ｂ、透過原稿用光源５を接続するコネクタ６ｃから構成され、（不図示の）外部ホストＰＣからの制御によりＣＩＳ３の駆動信号、透過原稿用光源５の駆動信号、画像処理、画像通信を行う制御基板、７はＣＩＳ３と制御基板６を接続するケーブル、８は透過原稿用光源５と制御基板６を接続するケーブルである。
【００１４】
また図２において、６ｄはＣＩＳ３から出力されるアナログ画像信号をデジタル画像データに変換するＡ／Ｄ変換器、６ｅは光源光量のライン方向の偏差、いわゆるシェーディングを補正するための乗算器等で構成されるシェーディング補正部、６ｆは画像データの階調性、濃度を調整するためのデータ？アドレス変換器等から構成されるガンマ変換部、６ｇは読み取った画像を外部のホストＰＣに出力されるためのインターフェイスを制御するＵＳＢ制御部、６ｈはシェーディング補正部６ｅで使用される補正データや、ガンマ変換部６ｆが参照する画像データの調整用データ、またＵＳＢ制御６ｇが外部ホストＰＣと通信を行う画像データ等を格納するメモリ部、６ｉはクロック発生器６ｊからの駆動信号を基準にＣＩＳ３のＬＥＤ３ｃまたは透過原稿用光源５のＬＥＤ５ａを駆動するＬＥＤ駆動回路、６ｊはＣＩＳ３の駆動信号やＬＥＤ駆動回路６ｉの駆動信号やステップモータ９の駆動パルスを発生するクロック発生器、６ｋはクロック発生器６ｊからのステップモータ９を駆動するモータ駆動回路、９はＣＩＳ３を移動するステップモータである。
【００１５】
上記構成において、フィルム検知のシーケンス動作を以下に説明する。
【００１６】
まず、反射原稿用のＬＥＤ３ｃの光量を校正するため、（不図示の）外部ホストＰＣからの制御により、ＣＩＳ３はステップモータ９に駆動されて白基準板４の位置（図１のＰｏｓｉｔｉｏｎ  Ａ）へ移動する。（図３のステップＳ３０１）
次にＬＥＤ駆動回路６ｉの制御によりＬＥＤ３ｃを最大の点灯時間で点灯する。
（図３のステップＳ３０２）
ＬＥＤ３ｃから発した光は、白色基準板４を反射し、ロッドレンズ３ａを介して固体撮像素子３ｂに受光される。固体撮像素子３ｂに受光された光は光−電荷変換によって電荷としてケーブル７を介してＡ／Ｄ変換器６ｄに入力され、Ａ／Ｄ変換器６ｄから出力された画像データはシェーディング補正部６ｅ、ガンマ変換部６ｆ、ＵＳＢ制御部６ｇを介して（不図示の）外部ホストＰＣに出力され、画像データの取得がなされる。（図３のステップＳ３０３）
ステップＳ３０３で取得した画像データのレベルがあらかじめ設定した所定の値以下であるか否かを判定する。このとき、あらかじめ設定した所定の値は固定撮像素子３ｂの出力が飽和するレベルに近く且つそれよりも小さい値が設定される。（図３のステップＳ３０４）
ステップＳ３０４で画像データの値が所定のレベル以下であると判定された場合は、現在のＬＥＤ点灯時間を記録し、ＬＥＤ３ｃの光量校正を終了する。（図３のステップＳ３０５）
ステップＳ３０４で画像データの値が所定のレベルよりも大きい場合、現在のＬＥＤ３ｃの点灯時間があらかじめ設定したＬＥＤ点灯時間の最小値以下であるか否かを判定する。このとき、あらかじめ設定したＬＥＤ点灯時間の最小値はＬＥＤ点灯時間の最大値の１０％の点灯時間である。（図３のステップＳ３０６）
ステップＳ３０６でＬＥＤ点灯時間が最小値以下と判定された場合は、何らかのエラーが発生したと判断し、ＬＥＤ３ｃの光量校正を終了する。（図３のステップＳ３０７）
ステップＳ３０６でＬＥＤ点灯時間が最小値に達していなかった場合は、ＬＥＤ３ｃの点灯時間を現在の点灯時間から５％短縮した点灯時間に設定し、再度ステップＳ３０３の画像データの取得へ戻る。（図３のステップＳ３０８）
以上のように、ＬＥＤ点灯時間を最大値から徐々に短くすることによって、ＣＩＳ３から所定の出力が得られるようにＬＥＤ３ｃの光量校正を行なう。
【００１７】
次に、フィルム検知を行なうため、（不図示の）外部ホストＰＣからの制御により、ＣＩＳ３はステップモータ９に駆動されて透過原稿用光源５の位置（図１のＰｏｓｉｔｉｏｎ  Ｂ）へ移動する。（図４のステップＳ４０１）
次にＬＥＤ駆動回路６ｉの制御によりＬＥＤ３ｃを図３のステップＳ３０５で記録された、ＬＥＤ３ｃの光量校正された点灯時間で点灯する。（図４のステップＳ４０２）
ＬＥＤ３ｃから発した光は、白色基準板４を反射し、ロッドレンズ３ａを介して固体撮像素子３ｂに受光される。固体撮像素子３ｂに受光された光は光−電荷変換によって電荷としてケーブル７を介してＡ／Ｄ変換器６ｄに入力され、Ａ／Ｄ変換器６ｄから出力された画像データはシェーディング補正部６ｅ、ガンマ変換部６ｆ、ＵＳＢ制御部６ｇを介して（不図示の）外部ホストＰＣに出力され、画像データの取得がなされる。（図４のステップＳ４０３）
ステップＳ４０３で取得した画像データのレベルがあらかじめ設定した所定の値以下であるか否かを判定する。このとき、あらかじめ設定した所定の値は、図３のステップＳ３０４で設定されたＬＥＤ３ｃの光量校正の判定レベルよりも小さい値が設定される。（図４のステップＳ４０４）
ステップＳ４０３で画像データのレベルが所定のレベル以下と判定された場合は、原稿台ガラス２上にフィルムが置かれていると判定し、フィルム検知シーケンスを終了する。（図４のステップＳ４０５）
ステップＳ４０３で画像データのレベルが所定のレベルより大きいと判定された場合は、原稿台ガラス２上にフィルムが無いと判定し、フィルム検知シーケンスを終了する。（図４のステップＳ４０６）
以上説明したように本発明によると、原稿設置面とは別領域に設置された白基準板を使用して光量の調整された反射原稿用光源で、原稿台上に設置された透過原稿用光源面を照射し、その反射光をイメージセンサーで読み取ることで原稿台上のフィルムの有無を精度良く検知することができる。
【符号の説明】
【００１８】
１  本発明の一例である画像読取装置の筐体部
２  原稿台ガラス
３  ＣＩＳ（Ｃｏｎｔａｃｔ  Ｉｍａｇｅ  Ｓｅｎｓｏｒ）
３ａ  ロッドレンズ
３ｂ  固体撮像素子
３ｃ  ＬＥＤ
３ｄ  コネクタ
３ｅ  ＣＩＳ基板
４  白基準板
５  透過原稿用光源
５ａ  ＬＥＤ
５ｂ  導光体
６  制御基板
６ａ  コネクタ
６ｂ  ＵＳＢコネクター
６ｃ  コネクタ
６ｄ  Ａ／Ｄ変換器
６ｅ  シェーディング補正部
６ｆ  ガンマ変換部
６ｇ  ＵＳＢ制御部
６ｈ  メモリ部
６ｉ  ＬＥＤ駆動回路
６ｊ  クロック発生器
６ｋ  モータ駆動回路
７  ケーブル
８  ケーブル
９  ステップモータ
【図１】
2011049971.tif 000003
【図２】
2011049971.tif 000004
【図３】
2011049971.tif 000005
【図４】
2011049971.tif 000006
【図５】
2011049971.tif 000007